(57)【要約】【課題】加熱調理器の表示部の表示を良好な状態に維持する。【解決手段】加熱調理器は、本体と、本体の上面に配置され、被加熱物が載置される載置部が形成されているトッププレートと、トッププレートを保持するフレームとを有する。表示部は、トッププレートにおいて載置部が形成されていない領域に設けられている。本体内において表示部の下方に表示ユニットが設けられている。表示ユニットは、本体の内部に設けられた制御基板に搭載されているＬＥＤと、ＬＥＤから出射される光をトッププレートの側へ導く導光筒と、導光筒の上面に設けられ、ＬＥＤから出射される光を拡散させるための拡散シートと、拡散シートとトッププレートとの間に設けられ、拡散シートの上面に当接すると共にトッププレートの裏面に当接している枠部材とを有する。枠部材は、トッププレートと前記拡散シートにより押圧されている。【選択図】図１０
2019087329.tif 000002
【特許請求の範囲】
【請求項１】
本体と、前記本体の上面に配置され、被加熱物が載置される載置部が形成されているトッププレートとを有する加熱調理器であって、
前記本体内に設けられている表示ユニットを備え、
前記表示ユニットは、前記本体の内部に設けられた制御基板に搭載されているＬＥＤと、
前記ＬＥＤから出射される光を前記本体の上面側に導く導光筒と、
前記導光筒に導かれる光を拡散させるための拡散シートとを有し、
前記拡散シートは、前記導光筒において前記ＬＥＤから出射される光が入射する側の端部とは反対側の端面に当接している加熱調理器。
【請求項２】
前記表示ユニットは、
前記トッププレートにおいて前記載置部が形成されていない領域に形成されている表示部の下方に配置されており、
前記拡散シートと前記トッププレートとの間に設けられ、前記拡散シートにおいて前記導光筒の前記端面に当接している面とは反対側の面に当接すると共に、前記トッププレートの裏面に当接している枠部材をさらに有し、
前記枠部材は、前記トッププレートと前記拡散シートとの間で押圧されている請求項１に記載の加熱調理器。
【請求項３】
前記枠部材は、弾性材料で構成されている請求項２に記載の加熱調理器。
【請求項４】
前記導光筒は、耐熱性を有する樹脂で構成されている請求項１〜３のいずれか一項に記載の加熱調理器。
【請求項５】
前記枠部材は、耐熱性を有し、かつ低硫黄若しくは硫黄フリーの材料で構成されている請求項２、請求項３、請求項２を引用する請求項４、又は請求項３を引用する請求項４のいずれか一項に記載の加熱調理器。
【発明の詳細な説明】
【技術分野】
【０００１】
本発明は、トッププレートに載置された被加熱物を加熱する加熱調理器に関する。
【背景技術】
【０００２】
従来、加熱調理器は、本体と、本体の上面に配設されたトッププレートとを有している。トッププレートは金属製のフレームに保持されている。フレームには、トッププレートの前方側に操作部と表示部が設けられている（例えば、特許文献１）。このような操作部及び表示部は、フレームに形成された開口部に操作表示シートを配置した構成を有している。使用者は、開口部に露出している操作表示シートを操作し、操作表示シートに表示される諸情報を視認する。
【先行技術文献】
【特許文献】
【０００３】
【特許文献１】特許第５５２９７９３号公報
【発明の概要】
【発明が解決しようとする課題】
【０００４】
表示部には、フレームの開口部の下方に設けられた７セグメントディスプレイと、操作表示シートに設けられた拡散処理部とで構成されたものがある。７セグメントディスプレイのＬＥＤ（Light Emitting Diode）から出射される光は拡散処理部で拡散され、使用者に視認される。従って、拡散処理部と７セグメントディスプレイの上面との間の距離が短いほど、表示部の視認性はより高くなる。しかしながら、フレームに反り等が発生し、操作表示シートと７セグメントディスプレイの上面と間の距離が長くなってしまう場合がある。その結果、７セグメントディスプレイの表示がぼやけ、表示部の視認性が低下するという問題があった。
【０００５】
本発明は、上述のような課題を背景としてなされたものであり、表示部の表示が良好な状態に維持される加熱調理器を提供することを目的としている。
【課題を解決するための手段】
【０００６】
本発明に係る加熱調理器は、本体と、前記本体の上面に配置され、被加熱物が載置される載置部が形成されているトッププレートとを有する加熱調理器であって、前記本体内に設けられている表示ユニットを備え、前記表示ユニットは、前記本体の内部に設けられた制御基板に搭載されているＬＥＤと、前記ＬＥＤから出射される光を前記本体の上面側に導く導光筒と、前記導光筒に導かれる光を拡散させるための拡散シートとを有し、前記拡散シートは、前記導光筒において前記ＬＥＤから出射される光が入射する側の端部とは反対側の端面に当接しているものである。
【発明の効果】
【０００７】
本発明によれば、表示ユニットを本体内に設け、拡散シートを導光筒に当接させている。従って、例えばフレームに反り等が発生しても、拡散シートと導光筒との間の距離が長くなることはない。その結果、表示部の視認性の低下を招くことがなく、表示部の表示を良好な状態に維持することができる。
【図面の簡単な説明】
【０００８】
【図１】本発明の実施の形態に係る加熱調理器の斜視図である。
【図２】本発明の実施の形態に係る加熱調理器の分解斜視図である。
【図３】本発明の実施の形態に係る加熱調理器のボタン群と表示ユニットを示す斜視図である。
【図４】本発明の実施の形態に係る加熱調理器のボタン群と表示ユニットを示す斜視図である。
【図５】表示ユニットの導光筒を上面から示す斜視図である。
【図６】表示ユニットの導光筒を底面から示す斜視図である。
【図７】表示ユニットの導光筒の平面図である。
【図８】表示ユニットの導光筒の底面図である。
【図９】表示ユニットの導光筒の側面図である。
【図１０】本発明の実施の形態に係る加熱調理器の表示部周辺の内部構造を示す図である。
【図１１】トッププレートの組立工程の前後の表示ユニットの断面を模式的に示す図である。
【発明を実施するための形態】
【０００９】
以下、本発明の加熱調理器の好適な実施の形態について図面を用いて説明する。尚、以下に説明する実施の形態によって本発明が限定されるものではない。また、図面における各構成部材の大きさ及び形状は、説明のためにわかりやすく表しており、実際の大きさ及び形状と異なる場合がある。
【００１０】
実施の形態．
図１は、本発明の実施の形態に係る加熱調理器の斜視図である。図２は、本発明の実施の形態に係る加熱調理器の分解斜視図である。加熱調理器１は、本体１０と、トッププレート２０と、フレーム３０を有している。トッププレート２０は矩形の形状を有している。トッププレート２０は本体１０の上方に配設され、フレーム３０に保持されている。トッププレート２０には前側載置部２１と後側載置部２２が形成されている。前側載置部２１及び後側載置部２２は、それぞれ被加熱物が載置される載置部である。前側載置部２１は、トッププレート２０の前方側であって左側に形成され、後側載置部２２は、トッププレート２０の後方側であって右側に形成されている。すなわち、前側載置部２１と後側載置部２２は、トッププレート２０の対角線上に形成されている。
【００１１】
フレーム３０の前方側の縁部には操作部３１が配置されている。操作部３１には、前側操作ボタン群３２、後側操作ボタン群３３、電源ボタン３４、及びタイマー操作ボタン群３７が設けられている。前側操作ボタン群３２は、前側載置部２１における加熱条件等を操作するための複数の操作ボタンからなり、後側操作ボタン群３３は、後側載置部２２における加熱条件等を操作するための複数の操作ボタンからなっている。電源ボタン３４は、加熱調理器１の電源をＯＮ及びＯＦＦするための操作部材である。フレーム３０の後方側の縁部には排気口３５が形成されている。
【００１２】
トッププレート２０において、前方側の縁部と右側の縁部とが交差する角部に、表示部４０が形成されている。すなわち、表示部４０は、前側載置部２１及び後側載置部２２が形成されていない領域に形成されている。操作部３１のタイマー操作ボタン群３７の操作に応じた諸情報の表示が、表示部４０を介して視認される。
【００１３】
本体１０の内部には、操作部３１と表示ユニットを制御するための制御基板である操作表示基板１１が配設されている。表示ユニットについては後述する。また、本体１０の内部には、前側載置部２１の下方に加熱手段１２が配設され、後側載置部２２の下方に加熱手段１３が配設されている。加熱手段１２及び加熱手段１３は、例えば、誘導加熱コイルやラジエントヒーター等である。本体１０の内部において、前方側には、ボタン群３６が配置されている。本体１０の内部において、前方側の側面１０Ｆと右側の側面１０Ｒとが交差する角部に、表示部４０の下方に表示ユニット４１が設けられている。
【００１４】
図３及び図４は、本発明の実施の形態に係る加熱調理器のボタン群と表示ユニットを示す斜視図である。図４において、図３の表示ユニット４１は分解して示されている。ボタン群３６は、上述の操作部３１の前側操作ボタン群３２、後側操作ボタン群３３、及び電源ボタン３４に対応した複数のボタンを有している。ボタン群３６の各ボタンは、操作表示基板１１上に、操作部３１の各ボタンの配置位置に対応して、横方向に一列に並んで配置されている。
【００１５】
表示ユニット４１は、第１ユニット５０と第２ユニット６０を有している。第１ユニット５０と第２ユニット６０は、７セグメントディスプレイであり、それぞれ、図示省略のＬＥＤを７つ備えている。また、表示ユニット４１は、導光筒７０と、拡散シート８０と、枠部材９０とを有している。第１ユニット５０及び第２ユニット６０のＬＥＤは、操作表示基板１１に搭載されている。導光筒７０は操作表示基板１１に載置され、第１ユニット５０及び第２ユニット６０のＬＥＤの上に位置決めされている。このように、表示ユニット４１は、それぞれ７つのＬＥＤから構成される２組の第１ユニット５０のＬＥＤ群と第２ユニット６０のＬＥＤ群と、導光筒７０と、拡散シート８０と、枠部材９０とで構成されている。尚、第１ユニット５０のＬＥＤ及び第２ユニット６０のＬＥＤに関しては、図１０を用いて後述する。
【００１６】
図５は、表示ユニットの導光筒を上面から示す斜視図である。図６は、表示ユニットの導光筒を底面から示す斜視図である。図７は、表示ユニットの導光筒の平面図である。図８は、表示ユニットの導光筒の底面図である。図９は、表示ユニットの導光筒の側面図である。図９は、導光筒７０を図５中の矢印Ｒの方向から示す側面図であり、加熱調理器１の右側方から導光筒７０を示している。導光筒７０は、全体として矩形の薄板である基部７１と、基部７１の裏面に一体的に形成された筒状の導光部７２と、基部７１の側面に設けられた一対の取付爪７３とを有している。
【００１７】
図５及び図７に示すように、基部７１には、第１ユニット５０のＬＥＤ群に対応する７つの長穴から成る第１長穴群７１Ａと、第２ユニット６０のＬＥＤ群に対応する７つの長穴から成る第２長穴群７１Ｂが形成されている。
【００１８】
図６及び図８に示すように、導光部７２は第１導光部７２Ａと第２導光部７２Ｂを有している。第１導光部７２Ａは、第１ユニット５０のＬＥＤ群の各ＬＥＤから出射される光を個別に第１長穴群７１Ａの各長穴に導くためのものである。第２導光部７２Ｂは、第２ユニット６０のＬＥＤ群の各ＬＥＤから出射される光を個別に第２長穴群７１Ｂの各長穴に導くためのものである。第１導光部７２Ａは、内部が長手方向に沿って７つの領域に区画されており、第１導光部７２Ａの基部７１と反対側の端面には、７つの開口部が形成されている。第２導光部７２Ｂは、内部が長手方向に沿って７つの領域に区画されており、第２導光部７２Ｂの基部７１と反対側の端面には、７つの開口部が形成されている。導光筒７０は、以下の態様で操作表示基板１１の表面に載置されている。すなわち、第１ユニット５０のＬＥＤ群の各ＬＥＤが、それぞれ第１導光部７２Ａの上述の端面の開口部のうち対応する開口部内に位置している。同時に、第２ユニット６０のＬＥＤ群の各ＬＥＤが、それぞれ第２導光部７２Ｂの上述の端面の開口部のうち対応する開口部内に位置している。第１ユニット５０のＬＥＤ群の各ＬＥＤが、それぞれ第１導光部７２Ａの端面の開口部内に位置する態様、及び、第２ユニット６０のＬＥＤ群の各ＬＥＤが、それぞれ第２導光部７２Ｂの端面の開口部内に位置する態様については、図１０を用いて後述する。
【００１９】
第１導光部７２Ａの７つの領域を形成している壁面により、第１ユニット５０のＬＥＤ群の各ＬＥＤから出射される光は、同ＬＥＤ群の他のＬＥＤから出射される光に干渉されることがない。また、第１導光部７２Ａの７つの領域のそれぞれの横断面の面積は、第１ユニット５０の各ＬＥＤに対して十分な大きさを有している。従って、導光筒７０を操作表示基板１１に配置するとき、第１導光部７２Ａの基部７１と反対側の端面が、第１ユニット５０のＬＥＤ群の各ＬＥＤに接触して破壊することがない。
【００２０】
第２導光部７２Ｂの７つの領域を形成している壁面により、第２ユニット６０のＬＥＤ群の各ＬＥＤから出射される光は、同ＬＥＤ群の他のＬＥＤから出射される光に干渉されることがない。また、第２導光部７２Ｂの７つの領域のそれぞれの横断面の面積は、第２ユニット６０の各ＬＥＤに対して十分な大きさを有している。従って、従って、導光筒７０を操作表示基板１１に配置するとき、第２導光部７２Ｂの基部７１と反対側の端面が、第２ユニット６０のＬＥＤ群の各ＬＥＤに接触して破壊することがない。
【００２１】
導光筒７０は、耐熱性の高い樹脂、例えば、ＰＥＴ（ポリエチレンテレフタレート）、耐熱ＡＢＳ（アクリロニトリルブタジエンスチレン）等で構成されている。例えば、図２に示す加熱手段１２及び加熱手段１３を最大加熱量で駆動しても変形することがない程度の耐熱性を有する樹脂で、導光筒７０は構成されている。
【００２２】
図６及び図９に示すように、一対の取付爪７３は基部７１の一対の短辺部から、導光筒７０の底面側へ向かって延びるよう形成されている。導光筒７０は、一対の取付爪７３により操作表示基板１１の表面に取り付けられる。
【００２３】
次に、再び図３及び図４を参照して、拡散シート８０の構成、及び枠部材９０の構成について説明する。図３及び図４に示すように、導光筒７０の基部７１の上側に、拡散シート８０が配置されている。拡散シート８０は矩形の形状を呈しており、接着剤により基部７１の上面に接着されている。第１ユニット５０のＬＥＤ群の各ＬＥＤから出射され、導光筒７０の第１導光部７２Ａを介して、第１長穴群７１Ａの各長穴へ導かれた光は、拡散シート８０により拡散される。同様に、第２ユニット６０のＬＥＤ群の各ＬＥＤから出射され、導光筒７０の第２導光部７２Ｂを介して、第２長穴群７１Ｂの各長穴へ導かれた光は、拡散シート８０により拡散される。すなわち、拡散シート８０は、導光筒７０において、第１ユニット５０のＬＥＤ群の各ＬＥＤ及び第２ユニット６０のＬＥＤ群の各ＬＥＤから出射される光が入射される側の端部とは反対側の端面に当接している。
【００２４】
拡散シート８０とトッププレート２０との間には矩形の枠部材９０が設けられている。枠部材９０は、拡散シート８０において導光筒７０の上述の端面、すなわち基部７１の上面に当接している面とは反対側の面に当接すると共に、トッププレート２０の裏面に当接している。枠部材９０は、互いに平行に延びる長辺部９１及び長辺部９２と、長辺部９１及び長辺部９２に直交し、かつ互いに平行に延びる短辺部９３及び短辺部９４とを有している。枠部材９０は、耐熱性の高い弾性材料、例えばシリコンゴム等を主成分とした材料で構成されており、可撓性を有している。枠部材９０の長辺部９１、長辺部９２、短辺部９３及び短辺部９４は、図５及び図７に示す導光筒７０の基部７１の第１長穴群７１Ａ及び第２長穴群７１Ｂの外側に位置している。従って、第１ユニット５０のＬＥＤ群の各ＬＥＤ及び第２ユニット６０のＬＥＤ群の各ＬＥＤから出射され、拡散シート８０により拡散される光が、枠部材９０により遮られることはない。
【００２５】
図１０は、本発明の実施の形態に係る加熱調理器の表示部周辺の内部構造を示す図である。図１０は、表示部４０の略中央の位置で前後方向に沿って垂直に切断した加熱調理器１の内部を斜め上から示している。図１０において、操作表示基板１１に搭載されているＬＥＤ１００、ＬＥＤ１０１、及びＬＥＤ１０２は、上述の第１ユニット５０のＬＥＤ群に含まれるＬＥＤである。上述のように、ＬＥＤ１００、ＬＥＤ１０１、及びＬＥＤ１０２が、それぞれ、導光筒７０の第１導光部７２Ａの端面に形成されている複数の開口部のうち、対応する開口部内に位置している。尚、第１ユニット５０のＬＥＤ群の他のＬＥＤも、同様の態様で第１導光部７２Ａの端面の複数の開口部内に位置している。また、第２ユニット６０のＬＥＤ群の各ＬＥＤも、同様の態様で第２導光部７２Ｂの端面の複数の開口部内に位置している。このように、導光筒７０は、第１ユニット５０のＬＥＤ群から出射された光、及び第２ユニット６０のＬＥＤ群から出射された光を、加熱調理器１の本体１０の上面側に導くものである。上述のように、導光筒７０の上面に拡散シート８０が配置され、拡散シート８０の上面に枠部材９０が配置されている。そして、枠部材９０の上面にトッププレート２０が取り付けられている。
【００２６】
図１１は、トッププレートの組立工程の前後の表示ユニットの断面を模式的に示す図である。図１１において、左側の図は、トッププレート２０を組み立てる前の表示ユニット４１の断面を示し、右側の図は、トッププレート２０を組み立てた後の表示ユニット４１の断面を示している。図１１を参照しながら、トッププレート２０の取り付けの態様について説明する。本実施の形態において、導光筒７０の高さＨ１及び枠部材９０の高さＨ２は、操作表示基板１１とトッププレート２０との間の長さにより定められている。すなわち、導光筒７０、拡散シート８０、及び枠部材９０の高さの合計が、トッププレート２０をフレーム３０に取り付けたときの、操作表示基板１１とトッププレート２０との間の上下方向に沿った長さより大きくなるよう、高さＨ１及びＨ２は設定されている。また、上述のように枠部材９０は弾性材料で構成されており、可撓性を有している。従って、トッププレート２０をその裏面を枠部材９０の上面に当接させた状態でフレーム３０に嵌め込むことにより、枠部材９０に示すように上下方向に縮小する。図１１では、トッププレート２０の組み立て前に比べ、トッププレート２０の組み立て後には、枠部材９０が上下方向に長さＬだけ縮小していることが示されている。すなわち、表示ユニット４１において、トッププレート２０と拡散シート８０とで枠部材９０を押圧した状態で、トッププレート２０はフレーム３０に取り付けられている。尚、本実施の形態では長さＬが約１ｍｍ程度となるよう、上述の高さＨ１及びＨ２、並びに枠部材９０の弾性力は設定されている。
【００２７】
以上のように、本実施の形態によれば、本体１０内において拡散シート８０は導光筒７０の上面に当接している。従って、フレーム３０に反り等が生じたとしても、拡散シート８０と導光筒７０との間の距離が長くなることが防止される。その結果、拡散シート８０と導光筒７０との間の距離が長くなることに起因する、表示部４０の視認性の低下を招くことがなく、表示部４０の表示を良好な状態に維持することができる。
【００２８】
また、トッププレート２０と拡散シート８０とで枠部材９０を押圧しているため、トッププレート２０と枠部材９０との間、及び枠部材９０と拡散シート８０との間に隙間が発生することがない。従って、トッププレート２０と拡散シート８０との間にゴミ及び虫等の異物が侵入することが防止される。その結果、表示部４０の視認性を良好な状態に維持することができる。
【００２９】
また、トッププレート２０と拡散シート８０とで枠部材９０を押圧する構成により、トッププレート２０を枠部材９０の上に単に載置する場合に比べ、トッププレート２０と拡散シート８０との間の距離をより短くすることができる。従って、拡散シート８０を介して拡散され、トッププレート２０を介して視認される、第１ユニット５０のＬＥＤ群及び第２ユニット６０のＬＥＤ群の各ＬＥＤから出射される光の視認性をより高くすることができる。その結果、表示部４０の視認性を良好な状態に維持することができる。
【００３０】
本実施の形態では、導光筒７０は耐熱性の高い樹脂で構成されているため、加熱調理器１の駆動中に、熱による導光筒７０の変形を防止することができる。従って、トッププレート２０と拡散シート８０との距離の変動を抑制することができる。その結果、表示部４０の視認性の低下を抑制することができる。
【００３１】
本実施の形態では、枠部材９０は耐熱性の高い弾性材料、例えばシリコンゴム等を主成分とした材料で構成されているがこれに限るものではない。枠部材９０を、例えば耐熱性の高いシリコンゴム等を主成分とし、かつ、硫黄の含有量が低い低硫黄の材料で構成してもよい。また、枠部材９０を、例えば耐熱性の高いシリコンゴム等を主成分とし、かつ、硫黄を含まない硫黄フリーの材料で構成してもよい。硫黄成分はＬＥＤのリードフレームのメッキを変質させたりして、不点灯、若しくは輝度低下などの不具合を発生させる虞がある。このような材料で枠部材９０を構成することにより、熱による枠部材９０の変形を防止すると共に、硫黄成分によるＬＥＤ等へのアタックを抑制することができる。
【００３２】
尚、本実施の形態では、表示部４０はトッププレート２０に形成され、表示ユニット４１はその下方に設けられているが、これに限るものではない。フレーム３０に形成した開口部の下方に表示ユニット４１を設けてもよい。この場合も、拡散シート８０は導光筒７０の上面に当接しているため、フレーム３０に反り等が発生したとしても、表示ユニット４１の視認性が低下することはない。
【符号の説明】
【００３３】
１  加熱調理器、１０  本体、１０Ｆ  側面、１０Ｒ  側面、１１  操作表示基板、１２  加熱手段、１３  加熱手段、２０  トッププレート、２１  前側載置部、２２  後側載置部、３０  フレーム、３１  操作部、３２  前側操作ボタン群、３３  後側操作ボタン群、３４  電源ボタン、３５  排気口、３６  ボタン群、３７  タイマーボタン群、４０  表示部、４１  表示ユニット、５０  第１ユニット、６０  第２ユニット、７０  導光筒、７１  基部、７１Ａ  第１長穴群、７１Ｂ  第２長穴群、７２  導光部、７２Ａ  第１導光部、７２Ｂ  第２導光部、７３  取付爪、８０  拡散シート、９０  枠部材、９１  長辺部、９２  長辺部、９３  短辺部、９４  短辺部、１００  ＬＥＤ、１０１  ＬＥＤ、１０２  ＬＥＤ。
【図１】
2019087329.tif 000003
【図２】
2019087329.tif 000004
【図３】
2019087329.tif 000005
【図４】
2019087329.tif 000006
【図５】
2019087329.tif 000007
【図６】
2019087329.tif 000008
【図７】
2019087329.tif 000009
【図８】
2019087329.tif 000010
【図９】
2019087329.tif 000011
【図１０】
2019087329.tif 000012
【図１１】
2019087329.tif 000013